(57)【要約】人に取り付けられ、少なくとも１つのバイオセンサからの信号を処理し、送信することができる手段と、患者の近くに配置され、これらの信号を受信することができる受信機を有する監視システムである。携帯電話であってもよい受信機は、信号を処理し、モニターされているパラメータを表示し、さらに、または代わりに、遠隔監視装置に受信信号を転送してもよい。システムは、受信機が送信機からの信号を受信していないときを示す手段を含んでいてもよく、パラメータが所定のレベルに達すると、警報を発するような手段もまた含むことができる。構成は、事実上、モニターされている人が、システムの固定された部分から必要とされる距離の範囲内にとどまらなくてもよいようになっている。
2005506892.tif 000002
【特許請求の範囲】
【請求項１】
人に取り付けられ、少なくとも１つのバイオセンサからの信号を処理し、送信することができる手段と、前記患者の近くに配置され、これらの信号を受信することができる受信機を有する監視システム。
【請求項２】
前記受信機は、前記受信信号を遠隔監視装置に転送することができる、請求項１に記載の監視システム。
【請求項３】
前記受信機は、ディスプレイを有し、前記バイオセンサの読み取り値を前記ディスプレイ上に表示するために前記受信信号を再処理することができる手段を含む、請求項１または２に記載の監視システム。
【請求項４】
前記信号は、前記遠隔監視装置に送信される前に、前記受信機でさらに処理される、請求項２に記載の監視システム。
【請求項５】
前記送信信号は、ブルートゥース送信によって送信される、請求項１から４のいずれか１項に記載の監視システム。
【請求項６】
前記信号の送信は、超広帯域無線通信送信システムを用いることによってなされる、請求項１から６のいずれか１項に記載の監視システム。
【請求項７】
前記受信機は、移動電話である、請求項１から６のいずれか１項に記載の監視システム。
【請求項８】
前記移動電話は、セルラー方式電話である、請求項７に記載の監視システム。
【請求項９】
前記移動電話は、スクリーンを有し、前記電話は、前記バイオセンサの読み取り値を前記電話の前記スクリーン上に表示することができるように、前記信号を変換することができる、請求項７または８に記載の監視システム。
【請求項１０】
受信信号を前記遠隔監視装置に転送することができる、請求項７または８に記載の監視システム。
【請求項１１】
前記受信信号は、前記遠隔監視装置に自動的に転送される、請求項９に記載の監視システム。
【請求項１２】
前記受信機が前記監視装置から所定の距離よりも離れると、警告状態が設定される、請求項１から１１のいずれか１項に記載の監視システム。
【請求項１３】
バイオセンサからの１つまたは複数の信号が臨界レベルに達すると、警告信号が前記遠隔監視装置に送信される、請求項１から１２のいずれか１項に記載の監視システム。
【発明の詳細な説明】
【技術分野】
【０００１】
本発明は、監視システムに関し、特に、医療用途で用いられるシステムに関する。
【背景技術】
【０００２】
人のある生命信号を比較的継続的にモニターすることが望ましい特定の分野が存在するが、同時に、人は動きまわり、入院を必要としていない。
【０００３】
例えば、心臓発作の発生した人にとって、人が回復中の比較的短い期間の心拍数を監視するのが望ましいかもしれないが、心臓病や糖尿病を患っている高齢者は、数年という長い期間の継続的な監視を必要としているかもしれない。
【０００４】
今日では、多くの精巧な監視システムが存在し、その１つが、例えば、いろいろな種類の監視装置を電極に接続することができ、監視装置が電極に近づくと、監視装置は、ユーザが監視装置に物理的に接続されなくても、電極からのメッセージを受信する特許協力条約出願ＰＣＴ／ＡＵ０１／０１２４０号（特許文献１）に説明されている。
【０００５】
入力手段を備える監視装置を備える電話システムを使用することもまた知られており、このような構成は、電極の測定結果がモデムによって標準的な電話線を介して遠隔記録装置に送信される心電図で一般に使用されている。例えば、送信がラジオ送信機によってなされるヤコブ・セガロビッツ氏（Ｊａｃｏｂ Ｓｅｇａｌｏｗｉｔｚ）のＰＣＴ特許明細書ＷＯ９４／０１０３９（特許文献２）に示されているのと同じようなシステムもまた存在する。これらのシステムは、特定の読み取りが行われるが、基本的に短時間用構成である。
【０００６】
米国特許明細書６，４１６，４７１（特許文献３）には、生命信号が測定され、通常の電話線を介して信号を送信することができる基地局に信号を送信する小さい信号転送ユニットに送信される構成もまた提案されている。このシステムは、信号転送ユニットが基地局から限定された距離の範囲にとどまるように動作することが必要である。
【特許文献１】
特許協力条約出願ＰＣＴ／ＡＵ０１／０１２４０号
【特許文献２】
ＰＣＴ特許明細書ＷＯ９４／０１０３９
【特許文献３】
米国特許明細書６，４１６，４７１
【発明の開示】
【課題を解決するための手段】
【０００７】
本発明が関連するのはこの一般的なタイプの監視装置であり、特に、人が一般的に基地局から特定の距離の範囲内にいるように制限されないシステムに関する。
【０００８】
生命信号を遠隔監視装置で出力することができるが、いろいろなパラメータの示す局所的な値を出力することができることも本発明の１つの態様である。
【０００９】
本発明は、広い意味で、人に取り付けられ、少なくとも１つのバイオセンサからの信号を処理し、送信することができる手段と、これらの信号を受信することができる、患者の近傍に配置された受信機を有する監視システムを含む。
【００１０】
監視システムは、受信信号を遠隔監視装置に転送することができるのが好ましい。
【００１１】
受信機は、ディスプレイを有し、バイオセンサの読み取り値をディスプレイ上に表示するために受信信号を再処理することができる手段を含むことも好ましい。
【００１２】
受信機は、移動電話であり、好ましくはセルラー方式電話であることも好ましい。
【００１３】
本発明の１つの態様では、セルラー方式電話は、あらかじめ設定され、調節可能な値にしたがって一次解析を実行する受信機およびチップセットと、電話のスクリーン上で、維持されているパラメータと現在の値を表示することができるモニターを含む。
【００１４】
また、電話を、パラメータが所定の値に達すると、値を読み取り、人の操作が介在する遠隔監視装置に詳細を送信する、パラメータ用のより精巧なモニターを自動的に発呼するように構成してもよい。
【００１５】
電話は、モニターされているパラメータが臨界レベルに達すると、ユーザまたはその看護者、および事象を扱うように構成された物理源に対して警告警報を発するような構成を有していてもよい。
【００１６】
システムは、もし電話と変換器の間隔が１〜２メートルの送信範囲から離れた場合、電話は警報信号を発するような構成を有していてもよい。
【発明を実施するための最良の形態】
【００１７】
本発明がより容易に理解できるように、図面を参照して本発明の１つの構成を説明する。
【００１８】
基本的に２つの部分が存在する。
【００１９】
第１は、人に取り付けられ、モニターされている１つまたは複数のパラメータを表示する電極システム１１である。図面では、これはユーザ１０の腕に示されているが、パラメータによっては、これは体の他の部分であってもよい。第２は、この情報を受信することができるセルラー方式電話１２である。
【００２０】
実施形態では、遠隔監視装置１３は第３の部分とみなすことができる。
【００２１】
電極構成に関するかぎり、上述した特許協力条約出願と同様であるとみなし得るが、どのような構成をとってもよい。
【００２２】
基本的に、例えば、血液中の酸素、二酸化炭素、ｐＨレベルばかりではなく、心拍数およびリズム、血圧、温度、呼吸や、多くの他の異なる生物化学的または物理論理学的パラメータである測定されたパラメータに関するデータを集める少なくとも１つのバイオセンサがなければならない。
【００２３】
もちろん、もしバイオセンサの測定値がアナログ形式ならば、これらをディジタル化する回路が必要になる。
【００２４】
送信機は、送信機の比較的近くにあるようにされ、最大距離よりも離れると音声または映像の警告を出力するように構成することができるセルラー方式電話１２に埋め込まれ、または取り付けられた受信機にその信号を送信する。
【００２５】
１つの実施形態においては、この警告は、単に電話からの信号自体であってもよいし、間隔が不十分であることを示すために、電話が外部番号を発呼するように動作させてもよい。
【００２６】
電話は、送信機からの信号を受信し、これを測定されているパラメータが示す値に変換し直す回路が備えられている。
【００２７】
このパラメータを、瞬間図、すなわち、時間軸上の一連の図、またはパラメータの値の時間軸上のプロットとして、電話のスクリーン上に表示することができる。
【００２８】
これは、患者や物理的に配置された看護者が、パラメータの状態を確かめることができる手段を有することを意味する。
【００２９】
電話は、電話がメモリと階層を有する場合に規則的に、または、事故と重症さによっては発呼して、直接またはインターネットを介して、情報を遠隔監視装置１３に送信することができる手段も有している。電話は、パラメータの特定の値を保存することができ、または、単に現在の値を転送してもよく、パラメータが所定の警告状態に達すると、電話が自動的に遠隔監視装置を発呼し、情報をそれに転送し、できれば遠隔監視装置で警報を作動させることができる手段を有してもよい。
【００３０】
本発明は、半永久的な接続と、データのキロバイトあたりのコストを効果的に実現するＧＰＲＳ（Ｇｅｎｅｒａｌ Ｐａｃｋｅｔ Ｒａｄｉｏ Ｓｅｒｖｉｃｅ、汎用パケット無線システム）と関連づけて用いることもでき、このようなシステムのもとでは、警報状態に達すると、ディジタル化された情報のパケットは、監視装置に実際に発呼する必要はなく、遠隔監視装置に自動的に送信される。
【００３１】
したがって、患者の状態を監視する究極の責任を有する人は、悪い方向に変化したパラメータの変化にすぐに気づくだろう。
【００３２】
このような人は、電話で、例えば、点滴の動作を自動的に開始することによってそれ自体開始される患者のために看護プログラムを開始することができる。より一般的には、このような人は、患者または看護者と接触し、彼らにとるべき行動を通知する。
【００３３】
いくつかの異なるパラメータが同じ患者についてモニターされ、これらを、特定のキーの操作によって移動電話のスクリーン上に選択的に表示することができ、これらは、特定のパラメータが変化したとき、たとえ異なるエリアであっても、異なる特性を通知することができるように、パラメータの所定の変化に対して発呼する異なる電話番号をそれぞれ有していてもよい。
【００３４】
本発明は、通常は入院が必要な通院患者を、あたかも入院しているときと同じように効率的に生命信号をモニターしながら、状態に変化があった場合に適切な警告を発して、家庭または非病院環境で看護することが可能である。同時に、受信機がセルラー方式電話のとき、セルラー方式システムの範囲領域にのみ制限されるが、たいていの人にとって、特に都会の人にとっては、移動に関する限り、事実上制限されない。
【００３５】
さらに、健康状態を維持している患者を、過度の負担または干渉なしに、緻密にモニターすることができる。
【００３６】
本発明を用いた１つの特定の方法を説明してきたが、本発明は、有線電話システムや、必要なら無線システムであっても適用可能であることが理解できるだろう。用いられている電極や送信機の形態は、特定の環境に適合するように変えることができ、電話システムによる入力信号の操作の程度は、特定の必要性や使用方法に応じて修正することができることが理解できるであろう。
【００３７】
送信機から電話１２への送信は、ブルートゥース（Ｂｌｕｅｔｏｏｔｈ）技術や超広帯域無線（Ｕｌｔｒａ Ｗｉｄｅ Ｂａｎｄ：ＵＷＢ）技術を用いることなどにより、必要に応じて実現できる。
【図面の簡単な説明】
【００３８】
【図１】本発明の一実施形態の監視システムの構成を示した図である。
【国際公開パンフレット】
2005506892.tif 000003
2005506892.tif 000004
2005506892.tif 000005
2005506892.tif 000006
2005506892.tif 000007
2005506892.tif 000008
2005506892.tif 000009
2005506892.tif 000010
2005506892.tif 000011
2005506892.tif 000012
2005506892.tif 000013
【国際調査報告】
2005506892.tif 000014
2005506892.tif 000015
2005506892.tif 000016